(57)【特許請求の範囲】
【請求項１】
タッチパネルを含むタッチ感知式コンポーネントであって、タッチイベントに応答する信号を生成するように構成される、タッチ感知式コンポーネントと、
分光コンポーネントと、
前記タッチ感知式コンポーネントおよび前記分光コンポーネントのうちの１つまたは複数に含まれる送信器であって、前記タッチパネルに第１波長で光エネルギを送信するように動作可能である、送信器と、
前記第１波長の反射された光エネルギを受信するように動作可能な受信器であって、前記反射された光エネルギは、前記タッチイベントに応答して反射される、受信器と、
前記受信器に結合され、前記タッチイベントに応答する信号に基づいて前記タッチイベントに関連する前記タッチパネル上の位置を判定するように構成され、前記反射された光エネルギに基づいて少なくとも生体情報を判定するために前記反射された光エネルギを分析するように構成された少なくとも１つのプロセッサと
を含むタッチ感知式デバイス。
【請求項２】
前記受信器は、前記タッチ感知式コンポーネントおよび前記分光コンポーネントに共通である、請求項１に記載のタッチ感知式デバイス。
【請求項３】
前記受信器は、電荷結合素子を含む、請求項１に記載のタッチ感知式デバイス。
【請求項４】
前記受信器は、前記受信された光エネルギを第１部分および第２部分に分割するように動作可能であり、前記少なくとも１つのプロセッサは、前記タッチイベントに応答する信号としての前記第１部分を用いて前記タッチイベントに関連する前記タッチパネル上の位置を判定するように構成され、前記第２部分を用いて生体情報を判定するように構成される、請求項１に記載のタッチ感知式デバイス。
【請求項５】
前記送信器は、前記タッチ感知式コンポーネントおよび前記分光コンポーネントに共通である、請求項１に記載のタッチ感知式デバイス。
【請求項６】
前記送信器は、約８００ナノメートルから約２５００ナノメートルまでの範囲内の光エネルギを放つように構成される、請求項１に記載のタッチ感知式デバイス。
【請求項７】
前記送信器は、１つまたは複数の発光ダイオードを含む、請求項１に記載のタッチ感知式デバイス。
【請求項８】
前記送信器は、第２波長の光を放つようにさらに構成される、請求項１に記載のタッチ感知式デバイス。
【請求項９】
前記第２波長の反射された光エネルギを受信するように動作可能な第２受信器をさらに含み、前記少なくとも１つのプロセッサは、前記第２波長の反射されたエネルギから他の生体情報を判定することができる、請求項８に記載のタッチ感知式デバイス。
【請求項１０】
ポータブルハンドヘルドデバイスを含む、請求項１に記載のタッチ感知式デバイス。
【請求項１１】
前記生体情報は、前記タッチイベントを作るユーザのグルコースレベルに関係する、請求項１に記載のタッチ感知式デバイス。
【請求項１２】
前記生体情報は、生体識別情報を含む、請求項１に記載のタッチ感知式デバイス。
【請求項１３】
前記タッチ感知式コンポーネントはディスプレイを含む、請求項１に記載のタッチ感知式デバイス。
【請求項１４】
前記ディスプレイは、前記タッチパネルを介して見ることができる、請求項１３に記載のタッチ感知式デバイス。
【請求項１５】
前記少なくとも１つのプロセッサは、前記ディスプレイに前記判定された生体情報を送信するように構成され、前記ディスプレイは、前記生体情報を提示するように構成される、請求項１３に記載のタッチ感知式デバイス。
【請求項１６】
前記タッチパネルは、赤外線透過である、請求項１に記載のタッチ感知式デバイス。
【請求項１７】
第１波長を有する光エネルギをタッチパネルに送信することと、
タッチイベントに応答して前記第１波長の光エネルギを受信することと、
前記タッチイベントに関する前記タッチパネル上の位置情報を提供するために前記受信された光エネルギを使用することと、
少なくとも前記受信された光エネルギに基づいて生体情報を判定することと
を含む、生体情報を判定する方法。
【請求項１８】
前記光エネルギを送信することは、前記タッチパネルを照らす、請求項１７に記載の方法。
【請求項１９】
前記第１波長は、約８００ｎｍと約２５００ｎｍとの間である、請求項１７に記載の方法。
【請求項２０】
関心を持たれている分析物の赤外線吸収スペクトルを生成することをさらに含み、前記第１波長は、前記赤外線吸収スペクトルに基づき、前記生体情報は、関心を持たれている前記分析物を含む、請求項１７に記載の方法。
【請求項２１】
生体情報を判定することは、前記受信された光エネルギに計量化学アルゴリズムを適用することを含む、請求項１７に記載の方法。
【請求項２２】
前記判定された生体情報をビジュアルディスプレイに提供することをさらに含む、請求項１７に記載の方法。
【請求項２３】
前記判定された生体情報を格納することをさらに含む、請求項１７に記載の方法。
【請求項２４】
生体情報を判定する手順を実行するコンピュータ実行可能命令をその上に格納されたコンピュータアクセス可能媒体であって、前記手順は、
第１波長を有する光エネルギを、タッチイベントを受け取ることのできるタッチパネルに送信することと、
前記タッチイベントに応答して前記第１波長の光エネルギを受信することと、
前記タッチイベントに関する前記タッチパネル上の位置情報を提供するために前記受信された光エネルギを使用することと、
少なくとも前記受信された光エネルギに基づいて生体情報を判定することと
を含む、コンピュータアクセス可能媒体。
【発明の詳細な説明】
【背景技術】
【０００１】
タッチスクリーンは、携帯電話機およびカメラなどのハンドヘルドデバイスを含むさまざまな電子デバイスにデータを入力するのに幅広く使用されている。従来技術のタッチスクリーン応用例では、タッチスクリーンセンサパネルは、ディスプレイの上または下に配置され、センサパネルは、主に接触、おそらくは接触の位置、および／または接触の力を示すのに使用される。より高いレベルの機能性は、通常、タッチスクリーンデバイスに結び付けられていない。
【発明の概要】
【０００２】
本開示の前述および他の特徴は、添付図面に関連して解釈される次の説明および添付の特許請求の範囲からより十分に明白になる。これらの図面が、本開示による複数の例を示すのみであり、したがって、その範囲について限定的と考えられてはならないことを理解すること。本開示を、添付図面の使用を介して追加の特異性および詳細を伴って説明する。
【図面の簡単な説明】
【０００３】
【図１】本開示のある種の例による生体情報判定能力を有するタッチ感知式デバイスを示す図である。
【図２ａ】本開示のある種の例によるタッチ感知式デバイスのタッチスクリーンコンポーネントを示す図である。
【図２ｂ】本開示のある種の例による分光コンポーネントを示す図である。
【図３】本開示のある種の例による一体化されたタッチスクリーンおよび分光コンポーネントを含むタッチ感知式デバイスを示す図である。
【図４】本開示による生体情報を判定する方法を実行するためにその中でタッチ感知式ディスプレイデバイスを一体化できるコンピューティングデバイスを示すブロック図である。
【図５】本開示のある種の例によるタッチ感知式デバイスの断面図である。
【図６ａ】本開示のある種の例によるタッチ感知式デバイスと一体化するのに適切なシステムを示す図である。
【図６ｂ】本開示のある種の例による、タッチ感知式デバイス上で接触を感知し、生体情報を判定するコンピュータ実施される方法を示す流れ図である。
【発明を実施するための形態】
【０００４】
要約
本開示は、タッチ感知式デバイスを説明するものである。いくつかの例のタッチ感知式デバイスは、タッチパネルを含むタッチ感知式コンポーネントと分光コンポーネントとを含む。タッチ感知式コンポーネントは、タッチイベントに応答する信号を生成するように配置され得る。いくつかの例のタッチ感知式デバイスは、さらに、タッチ感知式コンポーネントおよび分光コンポーネントのうちの１つまたは複数内の送信器を含むことができる。送信器は、タッチパネルに第１波長で光エネルギを送信するように動作可能とすることができる。
【０００５】
いくつかの例のタッチ感知式デバイスは、さらに、第１波長の反射された光エネルギを受信するように動作可能な受信器を含むことができる。反射された光エネルギは、タッチイベントに応答して反射されるものとすることができる。いくつかの例のタッチ感知式デバイスは、さらに、受信器に結合され、反射された光エネルギに基づいて少なくとも生体情報を判定するために、反射された光エネルギを分析するように配置されたプロセッサを含むことができる。
【０００６】
本開示は、生体情報を判定する方法をも説明する。いくつかの例の方法は、第１波長を有する光エネルギをタッチパネルに送信することと、タッチイベントに応答して第１波長の光エネルギを受信することと、タッチイベントに関する位置情報を提供するために受信された光エネルギを使用することと、少なくとも受信された光エネルギに基づいて生体情報を判定することとを含むことができる。
【０００７】
生体情報を判定する手順を実行するコンピュータ実行可能命令をその上に格納されたコンピュータアクセス可能媒体も説明される。この手順のいくつかの例は、第１波長を有する光エネルギを、タッチイベントを受け取ることのできるタッチパネルに送信することと、タッチイベントに応答して第１波長の光エネルギを受信することと、タッチイベントに関する位置情報を提供するために、受信された光エネルギを使用することと、少なくとも受信された光エネルギに基づいて生体情報を判定することとを含む。
【０００８】
前述の要約は、例示的であるのみであって、いかなる形でも限定的であることは意図されていない。上で説明した例示的な態様、実施形態、および特徴に加えて、さらなる態様、実施形態、および特徴が、図面および次の詳細な説明を参照することによって明白になる。
【０００９】
詳細な説明
次の詳細な説明では、本明細書の一部を形成する添付図面を参照する。図面では、文脈がそうではないと規定しない限り、同様の符号が、通常は同様のコンポーネントを識別する。この詳細な説明、図面、および特許請求の範囲で説明される例示的な例は、限定的であることを意図されたものではない。本明細書で提示される主題の趣旨または範囲から逸脱せずに、他の例を利用することができ、他の変更を行うことができる。本明細書で全体的に説明され図面に示された本開示の諸態様を、さまざまな異なる構成で配置し、置換し、組み合わせ、分離し、設計でき、そのすべてが本明細書で明示的に企図されることが、たやすく理解されるであろう。
【００１０】
本開示は、タッチ感知式センサから生体情報を収集することに関係する方法、システム、装置、およびコンピュータプログラムに関連する。いくつかの実施態様では、タッチセンサを、タッチ感知式デバイス、タッチスクリーンデバイス、または他のシステムに組み込むことができる。タッチ感知式デバイスに、生体データの取込を容易にするために、近赤外または他の分光コンポーネントを設けることができる。一般に、任意の適切なタイプのタッチ感知式デバイスおよび任意のタイプの分光デバイスを使用することができる。タッチ感知式デバイスおよび分光デバイスを含むそのようなシステムを、コンピュータ、端末、携帯電話機、携帯情報端末（ＰＤＡ）などのディジタル機器、衛星ナビゲーションデバイス、エクササイズ機器、セキュリティデバイスまたはデバイスと共に使用することができる。
【００１１】
タッチスクリーンは、ディスプレイエリア内の接触の存在ならびにいくつかの実施態様でその接触の位置および／または力を検出できるディスプレイである。この用語は、一般に、指または手によるデバイスのディスプレイへのタッチまたは接触を指す。たとえば、静電容量タッチ、抵抗タッチ、表面音響波タッチ、電磁タッチ、投影型静電容量方式タッチスクリーン、ひずみゲージタッチ、光イメージングタッチ、近接場イメージングタッチ、分散信号技術タッチ、フラストレイテッド・インターナル・タッチ・リフレンクタンス（ｆｒｕｓｔｒａｔｅｄ  ｉｎｔｅｒｎａｌ  ｔｏｕｃｈ  ｒｅｆｌｅｃｔａｎｃｅ）、音響パルス認識タッチ、または他の適切なタッチ技術を含む、さまざまなタッチ技術が開発されてきた。この説明において、任意の適切なタッチスクリーン技術を、本明細書で説明されるシステム、デバイス、または装置と共に使用することができる。さまざまなタッチスクリーン技術を使用して、送信器および受信器が、それぞれ光エネルギを生成するためおよび反射された光エネルギを受信するために設けられる。本明細書で使用されるときに、タッチ感知式デバイス、タッチ感知式ディスプレイ、タッチスクリーン、および類似する用語は、一般に、すべての形の接触感受性（ｔｏｕｃｈ  ｓｅｎｓｉｔｉｖｉｔｙ）技術を含むことが意図され、ディスプレイ機能性を含まない場合がある。さらに、タッチイベントは、そのようなタッチデバイスへの直接接触を含むことが意図されているが、さらに、タッチ技術によってサポートされるときにそのようなタッチデバイスとのニアコンタクト（ｎｅａｒ  ｃｏｎｔａｃｔ）を含むことができる。
【００１２】
近赤外（ＮＩＲ）分光は、一般に約８００ｎｍから約２５００ｎｍまでの近赤外スペクトル内の波長を使用する分光を指す。ＮＩＲ分光を使用して、血液分析物などの化学物質の濃度のレベルを定量的に識別することができる。ＮＩＲ分光を、さらに、他の干渉する化学物質の中でそのような化学物質の濃度の変化を識別するのに使用することができる。計量化学などのアルゴリズム的プロセスを使用して、干渉する化合物が寄与する雑音から所望の化学物質の特定の分子署名を分離することができる。ＮＩＲ分光が、本明細書で特に論じられるが、他の実施態様では、中範囲分光、遠範囲分光、または白色光分光をその代わりに使用できることを了解されたい。
【００１３】
ＮＩＲ範囲内の波長は、たとえば数センチメートルまで、人体を貫通することができる。したがって、ＮＩＲ分光を、ある種のバイオマーカの非侵襲性定量化のツールとして使用することができる。たとえば、ＮＩＲ分光を使用して、血糖、血中アルコール、ビリルビン、コレステロール、および血液酸素化のレベルを判定することができる。さらに、個人が、独自の分光シグネチャを有する場合がある。したがって、ＮＩＲ分光を、生体識別の方法として使用することができる。したがって、分光シグネチャを、たとえば米国特許第６５６０３５２号によって教示されるものを含む、任意の適切な方法を使用して個人について展開することができる。用語「生体情報」は、本明細書で使用され、特定の化学物質に関する情報、生体識別に関する情報、または他の情報を含む、分光を使用して収集できる任意の情報を指すことが意図されている。
【００１４】
したがって、本明細書で教示されるように、送信器および受信器を使用して、タッチ感知式デバイスへの接触を判定するための光エネルギを生成することができ、その光エネルギは、さらに、接触を行う個人に関する、分光情報およびそれによる生体情報を導出するのに使用することができる。いくつかの例で、説明されるタッチ技術は、一般に改善された信号対雑音（ＳＮＲ）比につながる直接接触を必要とする場合があるが、他の例では、直接接触を伴わないニアコンタクトが十分である場合がある。
【００１５】
図１に、本開示のある種の例による生体情報判定能力を有するタッチ感知式デバイスを示す。例のシステム１０は、図１に示されているように、タッチスクリーンコンポーネント１２および分光コンポーネント１４を含むことができる。タッチスクリーンコンポーネント１２および分光コンポーネント１４を、さらなるデバイス１８の一部として設けることができる。その代わりに、タッチスクリーンコンポーネント１２および分光コンポーネント１４が、完全なシステムを形成することができる。例示のみのために、特定の言及を、静電容量性タッチスクリーンデバイスに対して行う。
【００１６】
図２ａに、本開示のある種の例によるタッチ感知式デバイスのタッチスクリーンコンポーネントを示す。図２ａに示されているように、タッチスクリーンコンポーネント１２は、タッチパネル２０、タッチ感知式表面２１、ディスプレイスクリーン２２、送信器２４ａ、受信器（またはセンサ）２６ａ、およびプロセッサ２８ａを含むことができる。
【００１７】
いくつかの例で、タッチパネル２０を、タッチ感知式表面２１を有する実質的に透過なパネルとすることができる。一般に、タッチパネル２０を、光学的に透過とＮＩＲ透過との両方である材料から製造することができる。たとえば、タッチパネル２０を、所望のスペクトルでの透過度を高めるために処理された適切なポリマー、石英、またはガラスから形成することができる。タッチパネル２０を、タッチ感知式表面２１がディスプレイスクリーン２２の見ることのできるエリアをカバーするようにするために、ディスプレイスクリーン２２の前に位置決めすることができる。ディスプレイスクリーン２２は、情報、データ、写真、および類似物をユーザに表示するように動作する。
【００１８】
送信器２４ａは、ＩＲ放射を送信するための赤外線（ＩＲ）送信器を含むことができる。それに対応して、受信器２６ａは、パネルの近くの指または他の物体によって反射されたＩＲ放射を受信するためのＩＲ受信器を含むことができる。送信器および受信器を、その代わりに、それぞれ近赤外または他の放射を送信し、受信するように構成することができるが、単純さのために、本明細書ではＮＩＲに言及する。一般に、受信器のタイプは、送信器の対応するタイプと一致するように選択される。
【００１９】
送信器２４ａを、光エネルギ源とすることができ、タッチパネル２０を照らすために適切な任意の位置に位置決めすることができる。送信器２４ａの位置を、使用される送信器のタイプまたは他の要因に依存するものとすることができる。図２に示された例では、送信器２４ａは、一般に、タッチパネル２０およびタッチパネル表面２１の下に設けられる。いくつかの例では、送信器２４ａを、タッチパネル２０の周辺に沿ってまたは別の位置に設けることができる。
【００２０】
光ファイバ（図示せず）を、タッチパネル２０上の適切な位置に光エネルギを向けるために設けることができる。送信器２４ａによって作られる光エネルギのタイプを、たとえば使用されるタッチスクリーン技術に依存して、変更することもできる。いくつかの例では、発光ダイオード（ＬＥＤ）、レーザー、白熱灯、またはハロゲン球を使用することができる。送信器２４ａまたは２４ｂは、単一の光源または複数の光源を含むことができる。
【００２１】
受信器２６ａは、電荷結合素子（ＣＣＤ）、ヒ化ガリウムインジウム（ＩｎＧａＡｓ）半導体デバイス、硫化鉛（ＰｂＳ）検知素子、またはある他の適切なデバイスとすることができ、タッチパネル２０上でのユーザの接触によって反射された光エネルギを受信するのに適切な任意の位置に位置決めされ得る。
【００２２】
受信器２６ａの位置は、使用される受信器のタイプまたは他の要因に依存するものとすることができる。一般に、受信器を、ユーザから反射されたエネルギを受信するのに適切な任意の位置に位置決めすることができる。図示の例では、受信器２６ａを、全体的に送信器２４ａの下に設けることができる。そのような位置は、たとえば、漏れ全反射タッチスクリーン技術と共に使用することができる。代替の例では、受信器２６ａを、タッチ感知式デバイスとは別々になど、タッチパネルの周辺に沿ってまたは他の位置に位置決めすることができる。
【００２３】
いくつかの例で、タッチスクリーンコンポーネント１２は、ディスプレイスクリーン２２を含まない場合がある。一般に、タッチスクリーンコンポーネント１２は、タッチイベントを認識し、プロセッサ２８ａは、その接触を解釈し、その後、タッチイベントに基づいて、接触位置の生体情報の判定など、アクションを実行することができる。
【００２４】
図２ｂに、本開示のある種の例による分光コンポーネント１４を示す。図２ｂに示されているように、分光コンポーネント１４は、タッチパネル２０およびタッチ感知式表面２１（その両方を分光コンポーネント１４およびタッチスクリーンコンポーネント１２に共通とすることができる）、送信器２４ｂ、受信器２６ｂ、ならびにプロセッサ２８ｂを含むことができる。図２および３に示されているように、いくつかの例で、別々の送信器、受信器、および／またはプロセッサを、タッチスクリーンコンポーネント１２および分光コンポーネント１４のそれぞれについて設けることができる。図２および３は、別々の送信器、受信器、およびプロセッサ（それぞれ２４ａおよび２４ｂ、２６ａおよび２６ｂ、２８ａおよび２８ｂ）を示す。
【００２５】
分光コンポーネント１４のプロセッサ２８ｂは、生体情報を提供するためにセンサからのデータに基づく分析を実行することができる。分光コンポーネントの送信器２４ｂは、タッチスクリーンコンポーネントの送信器に似た特性を有し、送信器２４ａの議論は、送信器２４ｂにも適用されることが意図されている。したがって、送信器は、たとえば、赤外線（ＩＲ）放射を送信するためのＩＲ送信器を含むことができる。それに対応して、受信器２６ｂは、パネルの近くの指または他の物体によって反射されたＩＲ放射を受信するためのＩＲ受信器を含むことができる。
【００２６】
タッチスクリーンコンポーネントの送信器２４ａに似て、送信器２４ｂを、光エネルギ源とすることができ、タッチパネル２０を照らすために適切な任意の位置に位置決めすることができる。図３に示された例では、送信器２４ｂは、全体的に、タッチパネル２０およびタッチパネル表面２１の下に設けられる。いくつかの例では、送信器２４ｂを、タッチパネル２０の周辺に沿ってまたは別の位置に設けることができる。
【００２７】
分光コンポーネントの受信器２６ｂは、タッチスクリーンコンポーネントの受信器に似た特性を有し、受信器２６ａの議論は、受信器２６ｂにも適用されることが意図されている。したがって、受信器２６ｂは、電荷結合素子（ＣＣＤ）、ヒ化ガリウムインジウム（ＩｎＧａＡｓ）半導体デバイス、硫化鉛（ＰｂＳ）検知素子、またはある他の適切なデバイスとすることができ、タッチパネル２０上でのユーザの接触によって反射された光エネルギを受信するのに適切な任意の位置に位置決めされ得る。
【００２８】
図３に、本開示のある種の例による一体化されたタッチスクリーンおよび分光コンポーネント１２／１４を含むタッチ感知式デバイスを示す。図示されているように、このデバイスは、タッチパネル２０、タッチ感知式表面２１、ディスプレイスクリーン２２、１つまたは複数の共通の送信器２４ａ／ｂ、１つまたは複数の共通の受信器（またはセンサ）２６ａ／ｂ、およびプロセッサ２８ａを含むことができる。
【００２９】
したがって、いくつかの例で、単一の送信器、単一の受信器、および単一のプロセッサを、設けることができ、図２ａのタッチスクリーンコンポーネント１２および図２ｂの分光コンポーネント１４に共通とすることができる。共有される単一の送信器、受信器、またはプロセッサを、共通の送信器２４ａ／ｂ、共通の受信器２６ａ／ｂ、または共通のプロセッサ２８ａ／ｂと呼ぶ場合がある。したがって、送信器、受信器、およびプロセッサのうちの１つまたは複数が、タッチスクリーンコンポーネント１２および分光コンポーネント１４に共通である場合に、そのシステムは、一体化されたタッチ感知式および分光コンポーネントを含むことができる。
【００３０】
図３の例では、２つの共通の送信器２４ａ／ｂが、タッチパネル２０の周辺に沿って設けられる。これらの送信器を、異なる波長で光エネルギを放つように構成することができる。たとえば、１つの共通の送信器を、生体識別に使用することができ、もう１つの共通の送信器を、分析物（血糖など）測定に使用することができる。
【００３１】
接触位置を判定するために光エネルギを検出するための送信器２４ａおよび接触によって生体情報を判定するために他の光エネルギを検出するための送信器２４ｂとしての共通の送信器２４ａ／ｂの例において。共通の送信器２４ａ／ｂによって放たれる光エネルギは、血液内の分析物濃度に基づいて異なって吸収される波長を有することができる。近赤外分光の場合に、共通の送信器２４ａ／ｂによって放たれる光エネルギを、近赤外範囲内（約８００ｎｍから約１４００ｎｍまで）とすることができる。代替の例では、光エネルギを、６８０ｎｍから２５００ｎｍまでの範囲内とすることができる。さらに、光スペクトルの他の範囲を使用することができる。使用される波長を、ユーザの血液内で検出される、関心を持たれている分析物に基づいて選択することができる。
【００３２】
共通の受信器２６ａ／ｂを、反射された光エネルギのサンプル（または信号）を、接触の位置を判定するために第１受信器（単一のＣＣＤなど）を用いてサンプリングでき、残りの反射された光エネルギ（または信号）をスペクトル分析のために第２受信器にルーティングできるように、構成することができる。図示されているように、いくつかの例では、複数の受信器、たとえば、異なる波長で反射された光エネルギを受信する複数の共通の受信器２６ａ／２６ｂを設けることができる。その代わりに、複数の受信器２６ａおよび／または複数の受信器２６ｂを設けることができる。異なる生体情報を、異なる波長の光エネルギから収集することができる。さまざまな例で、フィルタ（図示せず）を、たとえば望まれないスペクトル内の波長を有する光エネルギをフィルタアウトするためにタッチパネル２０と受信器との間に設けることができることを了解されたい。
【００３３】
上で述べた例のいずれかからのタッチ感知式デバイスに言及すると、送信器２４ａ、２４ｂ、または２４ａ／ｂから放たれた光を、タッチパネル２０の表面に向けることができる。ユーザが、タッチパネル２０の表面に触れるときに、送信器から放たれた光は、部分的に、ユーザの皮膚から反射され得る。一般に、反射された光の量または他の特性を、ユーザの血液内の分析物の濃度に依存するものとすることができる。たとえば、ユーザの皮膚が光エネルギまたは光を吸収するスペクトルの領域では、光の一部分が、反射して戻ってこない場合がある。たとえば分析物レベルの定量化に関する情報を提供できるのは、吸収のこれらの領域である。したがって、受信器２６ａ、２６ｂ、または２６ａ／ｂは、ユーザによる接触の結果として反射して戻ってきた光を感知することができる。プリズムまたは格子などの分散要素（図示せず）を、反射された光を受信器に渡すために設けることができる。一般に、受信器は、送信器によって送信された波長の反射された光エネルギを受信するように構成される。したがって、送信器が第１波長の光エネルギを送信する場合には、受信器は、第１波長の光エネルギを受信する。
【００３４】
いくつかの分析物測定について、少なくとも２つの受信器（および、いくつかの例では、２つの送信器）を設けることが望ましい場合がある。具体的に言うと、少なくとも２つの受信器を、関連するスペクトル内の２つの特定の領域すなわち基準波長および測定波長の吸収を同時に測定するために設けることができる。したがって、送信器は、少なくとも基準波長および測定波長の領域内でエネルギを放つことができる。ＩＲ吸収スペクトルが、関心を持たれている任意の分析物について生成される可能性がある。一般に、そのようなスペクトルは、ＩＲスペクトルのある種の領域内に、分析物の吸収と濃度との間に相関があることを示す。さらに、通常、吸収が分析物の濃度に全く依存しない領域がある。したがって、プロセッサ２８ａまたは２８ｂは、ＩＲスペクトル内のこれらの２つの領域をそれぞれ基準波長および測定波長として使用することができる。
【００３５】
プロセッサを使用して、受信器によって受信された反射された光エネルギに基づいて接触の位置を判定することができ、プロセッサを使用して、受信器によって受信された反射された光エネルギに基づいて生体情報を判定することができる。十分に一体化されたシステムでは、１つのプロセッサを使用して、受信器によって受信された反射された光エネルギに基づいて接触の位置および生体情報を判定することができる。したがって、信号などの情報を、たとえばバスを介して、受信器からプロセッサに送信することができる。この情報は、特定の波長で受信された光エネルギの量を含むデータとすることができる。プロセッサは、所望の情報を作るために、計量化学または他のアルゴリズム（多変量解析、部分最小二乗、または他の適切な較正モデリング技法）と結合された情報を使用することができる。プロセッサは、作った情報をタッチスクリーンディスプレイまたは他の出力デバイスに送信するように構成され得、かつ／または造った情報をシステムメモリに格納することができる。
【００３６】
基準波長および測定波長が受信器によって受信されるときに、反射されたエネルギ内のこれらの波長成分をプロセッサによって定量化して、グルコースなどの所望の分析物のレベルを判定することができる。
【００３７】
図４は、本開示による生体情報を判定する方法を実行するためにその中でタッチ感知式ディスプレイデバイスを一体化できるコンピューティングデバイスのブロック図である。図示されているように、コンピューティングデバイス９００は、接触を介して生体情報を入手するのに使用できる一体化されたタッチ感知式ディスプレイデバイスおよび分光デバイスを含む。したがって、たとえば、図１に関連して説明されたシステム１０を、いくつかの実施態様に従ってコンピューティングデバイス９００内に一体化することができる。
【００３８】
非常に基本的な構成９０１では、コンピューティングデバイス９００は、１つまたは複数のプロセッサ９１０（別々のプロセッサ２８ａおよび２８ｂまたは共通のプロセッサ２８ａ／２８ｂなど）およびシステムメモリ９２０を含むことができる。メモリバス９３０を、プロセッサ９１０とシステムメモリ９２０との間で通信するのに使用することができる。
【００３９】
所望の構成に応じて、プロセッサ９１０を、マイクロプロセッサ（μＰ）、マイクロコントローラ（μＣ）、ディジタル信号プロセッサ（ＤＳＰ）、ＡＲＭ９６８プロセッサ、適切な機能性および能力を有する他のプロセッサ、またはその任意の組合せを含むがこれらに限定はされない任意のタイプのプロセッサとすることができる。プロセッサ９１０は、レベル１キャッシュ９１１およびレベル２キャッシュ９１２などのキャッシングのもう１つのレベル、プロセッサコア９１３、ならびにレジスタ９１４を含むことができる。プロセッサコア９１３は、算術論理ユニット（ＡＬＵ）、浮動小数点ユニット（ＦＰＵ）、ディジタル信号処理コア（ＤＳＰコア）、またはその任意の組合せを含むことができる。代替実施態様では、タッチスクリーンシステムは、状態機械などの専用論理を有することができる。メモリコントローラ９１５を、プロセッサ９１０と共に使用することもでき、あるいは、いくつかの実施態様では、メモリコントローラ９１５を、プロセッサ９１０内部部分とすることができる。いくつかの実施形態で、タッチスクリーン、プロセッサ、および周辺機器を、１つの特定用途向け集積回路（ＡＳＩＣ）に集積することができる。
【００４０】
所望の構成に応じて、システムメモリ９２０を、揮発性メモリ（ＲＡＭなど）、不揮発性メモリ（ＲＯＭ、フラッシュメモリその他など）、またはその任意の組合せを含むがこれらに限定されないタイプのメモリとすることができる。システムメモリ９２０は、通常、オペレーティングシステム９２１、１つまたは複数のアプリケーション９２２、およびプログラムデータ９２４を含む。アプリケーション９２２は、所望の生体情報を判定するために分光デバイスからの情報を処理するように構成されたアルゴリズム９２３を含むことができる。プログラムデータ９２４は、たとえば、分光デバイスによって収集された情報を適当な生体情報に相関させること、たとえばデータを分析物レベルに相関させることに有用な生体データ９２５を含むことができる。いくつかの例では、アプリケーション９２２を、生体情報を判定できるように、オペレーティングシステム９２１上でプログラムデータ９２４を用いて動作するように構成することができる。この説明された基本構成は、図４では、破線内のコンポーネント９０１によって図示されている。
【００４１】
コンピューティングデバイス９００は、基本構成９０１と任意の必要なデバイスおよびインターフェースとの間の通信を容易にするために追加の特徴または機能性と追加のインターフェースとを有することができる。たとえば、バス／インターフェースコントローラ９４０を使用して、ストレージインターフェースバス９４１を介して基本構成９０１と１つまたは複数のデータストレージデバイス９５０との間の通信を容易にすることができる。データストレージデバイス９５０は、リムーバブルストレージデバイス９５１、ノンリムーバブルストレージデバイス９５２、またはその組合せとすることができる。リムーバブルストレージデバイスおよびノンリムーバブルストレージデバイスの例は、少し例を挙げると、フレキシブルディスクドライブおよびハードディスクドライブ（ＨＤＤ）などの磁気ディスクドライブ、コンパクトディスク（ＣＤ）ドライブまたはディジタル多用途ディスク（ＤＶＤ）ドライブなどの光ディスクドライブ、ソリッドステートドライブ（ＳＳＤ）、ならびにテープドライブを含む。コンピュータ記憶媒体の例は、コンピュータ可読命令、データ構造、プログラムモジュール、または他のデータなどの情報の格納のための任意の方法または技術で実施された、揮発性および不揮発性の、リムーバブルおよびノンリムーバブルの媒体を含むことができる。
【００４２】
システムメモリ９２０、リムーバブルストレージ９５１、およびノンリムーバブルストレージ９５２は、すべてがコンピュータ記憶媒体の例である。コンピュータ記憶媒体は、ＲＡＭ、ＲＯＭ、ＥＥＰＲＯＭ、フラッシュメモリ、または他のメモリ技術、ＣＤ−ＲＯＭ、ディジタル多用途ディスク（ＤＶＤ）、または他の光ストレージ、磁気カセット、磁気テープ、磁気ディスクストレージ、または他の磁気ストレージデバイス、あるいは、所望の情報を格納するのに使用でき、コンピューティングデバイス９００によってアクセスできる任意の他の媒体を含むが、これらに限定はされない。任意のそのようなコンピュータ記憶媒体を、デバイス９００の一部とすることができる。
【００４３】
コンピューティングデバイス９００は、さまざまなインターフェースデバイス（たとえば、出力インターフェース、周辺インターフェース、および通信インターフェース）からバス／インターフェースコントローラ９４０を介する基本構成９０１への通信を容易にするためにインターフェースバス９４２を含むこともできる。出力デバイス９６０の例は、グラフィックス処理ユニット９６１およびオーディオ処理ユニット９６２を含み、これらを、１つまたは複数のＡ／Ｖポート９６３を介してディスプレイまたはスピーカなどのさまざまな外部デバイスに通信するように構成することができる。周辺インターフェース９７０の例は、シリアルインターフェースコントローラ９７１またはパラレルインターフェースコントローラ９７２を含み、これらを、１つまたは複数の入出力ポート９７３を介して入力デバイス（たとえば、キーボード、マウス、ペン、音声入力デバイス、タッチ入力デバイスなど）または他の周辺デバイス（たとえば、プリンタ、スキャナなど）などの外部デバイスと通信するように構成することができる。通信デバイス９８０の例は、ネットワークコントローラ９８１を含み、ネットワークコントローラ９８１を、１つまたは複数の通信ポート９８２を介するネットワーク通信を介する１つまたは複数の他のコンピューティングデバイス９９０との通信を容易にするように構成することができる。通信接続は、通信媒体の一例である。通信媒体は、通常、搬送波または他のトランスポート機構などの変調されたデータ信号内のコンピュータ可読命令、データ構造、プログラムモジュール、または他のデータによって具体化され得、任意の情報配送媒体を含むことができる。「変調されたデータ信号」は、信号内で情報を符号化する形でその特性のうちの１つまたは複数をセットされるか変更された信号とすることができる。限定ではなく例として、通信媒体は、有線ネットワークまたは直接配線接続などの有線媒体と、音響、ラジオ周波数（ＲＦ）、マイクロ波、赤外線（ＩＲ）、および他の無線媒体などの無線媒体とを含むことができる。用語コンピュータ可読媒体は、本明細書で使用されるときに、記憶媒体と通信媒体との両方を含むことができる。
【００４４】
コンピューティングデバイス９００を、セル電話機、携帯情報端末（ＰＤＡ）、パーソナルメディアプレイヤデバイス、無線ウェブウォッチデバイス、パーソナルヘッドセットデバイス、特定用途向けデバイス、または上記機能のいずれかを含むハイブリッドデバイスなど、小フォームファクタポータブル（またはモバイル）電子デバイスの一部として実施することができる。コンピューティングデバイス９００を、ラップトップコンピュータ構成と非ラップトップコンピュータ構成との両方を含むパーソナルコンピュータとして実施することもできる。コンピューティングデバイス９００を、情報キオスク、テレビジョン、またはゲーミングデバイスなどの対話システムとして実施することもできる。
【００４５】
図５に、本開示のある種の例によるタッチ感知式デバイスの断面図を示す。下でより十分に説明されるように、タッチ感知式デバイス１００は、いくつかの例で、複数のロウ１２０（ロウトレースまたは駆動線とも呼ばれる）および複数のカラム１１０または（カラムトレースまたは感知線とも呼ばれる）を有する静電容量性感知媒体を含むが、その代わりに他の感知媒体を使用することができる。ロウトレースおよびカラムトレースを、インジウムスズ酸化物（ＩＴ））またはアンチモンスズ酸化物（ＡＴＯ）などの透明導電媒体、銅などの他の透明材料および不透明材料、あるいは他の適切な媒体から形成することができる。いくつかの例では、ロウトレースおよびカラムトレースを、互いに垂直に形成することができるが、他の例では、非垂直配向が可能である。さまざまな例で、ロウおよびカラムを、基板の単一の側面に形成することができ、基板の対向する側面に形成することができ、あるいは、誘電材料によって分離された２つの別々の基板上に形成することができる。いくつかの例で、誘電材料を、ガラスなど、透明とすることができ、あるいは、マイラーなど、他の材料から形成することができる。追加の誘電カバー層を、ロウトレースまたはカラムトレースの上に配置して、構造を強化し、デバイスを損傷から保護することができる。
【００４６】
図５の特定の例では、タッチスクリーンデバイス１００は、タッチスクリーンとディスプレイとの両方として働くように構成され、第１タッチ感知式ディスプレイ層１０１と、第２タッチ感知式ディスプレイ層１０２と、第１層カラム１１０と、第２層ロウ１２０と、ノード１２１と、測定回路１３０ｂを含む受信器１３０ａと、プロセッサ１４０と、駆動回路１５０ｂを含む送信器１５０ａと、メモリ１６０とを含む。駆動回路１５０ｂは、いくつかの例で、ロウドライバ１５１、カラムドライバ１５２、およびタイミング回路１５３を含むことができる。
【００４７】
第１タッチ感知式ディスプレイ層１０１は、一連のカラム１１０を含む。第２タッチ感知式ディスプレイ層１０２は、一連のロウ１２０を含む。第１タッチ感知式層１０１は、第２タッチ感知式ディスプレイ層１０２上に配置される。カラム１１０およびロウ１２０を、一連の有機層によって分離された１つまたは複数の導電層から形成することができる。電圧が、タッチ感知式ディスプレイデバイス１００に印加されるときに、カラム１１０およびロウ１２０は、反対の電荷を与えられ、各カラム１１０／ロウ１２０交差点は、基準信号（たとえば、正弦波基準信号）を搬送できるタッチ感知式ディスプレイデバイス１００のノード１２１に対応する。ノード１２１を、照らすことができる。ノード１２１を、あるタイプのトランジスタもしくはトランジスタの一部と考えることができ、かつ／またはディスプレイ画素と考えることができる。送信器１５０ａを、第１および第２の層１０１および１０２に向けられた光エネルギを放つように構成することができる。
【００４８】
そこでディスプレイが接触されるノード（１つまたは複数）１２１では、送信器１５０ａから放たれた入射光の少なくとも一部が、反射して受信器１３０ａに戻ってくる可能性がある。いくつかの例で、受信器の測定回路１３０ｂは、ディスプレイ内の静電容量変化に起因する電圧の変化など、接触の結果として変化を経験する可能性がある。これは、指がスクリーンに接触するときに、指（すなわち、生体）が電子をたくわえ、静電容量を示すからである。接触は、ある量の電流を接触の点に引き込み、この電流が、電圧の変化、たとえば電圧低下または静電容量の増加を生じる。したがって、ディスプレイに触れることは、第１および第２の層１０１と１０２との間の静電容量の量を公称静電容量値からある他の値へ変更する可能性がある。タッチスクリーンの例では、接触によって影響を受けるノード１２１および関連する測定回路１３０のそれぞれについて、プロセッサ１４０を、ディスプレイ上の接触の位置を判定するために接触によって影響を受ける測定回路１３０に関連する信号を受信し、それらの間の差を比較するように構成することができる。
【００４９】
前に注記したように、他のタイプのタッチスクリーン技術を使用することができ、接触の位置が、静電容量に基づいて測定される必要はない。さらに、いくつかの例で、接触の位置が判定されない場合があり、受信器が、単に、タッチイベントが発生したことに気付き、その情報を使用して、受信器１３０ａによって受信された反射された光エネルギに基づく生体情報のプロセッサによる作成をトリガする場合がある。
【００５０】
いくつかの例で、電源１５８を、送信器１５０ａの一部としてまたはこれとは別々に設けることができる。いくつかの例によれば、電源１５８は、たとえば接続１５９を介してディスプレイに結合され得、送信器１５０ａを介する光エネルギを供給するのに、または接触の位置を示すそれぞれの関連する測定回路内の変化をもたらすためのタッチ感知位置のうちの少なくとも１つに関連する位置のディスプレイおよび測定回路内の電荷を供給するのに、または他の電力を供給するのに十分な電力を生成する責任を負うことができる。送信器１５０ａを、接続１３５を介してディスプレイに通信的に結合することができる。いくつかの例で、測定回路１３０ｂを、接続１３３を介して各ノード１２１で電気的に結合することができる。さらに、プロセッサ１４０を、いくつかの例で測定回路１３０ｂへの結合を含めて、全体的に接続１４１を介して受信器１３０ａに通信的に結合することができる。プロセッサ１４０を、接続１３４を介してメモリ１６０に通信的に結合することができる。
【００５１】
静電容量性接触技術を使用する例では、トレースがお互いと交差するトレースの交差点で、トレースは、２つの電極を形成する。これは、トレースが、お互いに関して異なる層（たとえば、上の１つの層および下の１つの層）で走り、お互いに直接には電気接触しないからである。この交差点は、「ノード」と呼ばれる場合があり、ディスプレイの画素を表すことができる。ロウトレースおよびカラムトレースの各交差点は、静電容量性感知ノードを表すことができる。ロウ電極とカラム電極との間の静電容量は、所与のロウがＤＣで保持されるときにはすべてのカラム上で浮遊静電容量に見える可能性があり、所与のロウがＡＣ信号を用いて刺激されるときには相互キャパシタンスＣｓｉｇに見える可能性がある。パネルの近くまたはパネル上の指または他の物体の存在を、Ｃｓｉｇの変化を測定することによって検出することができる。パネルのカラムは、１つまたは複数のアナログチャネル（イベント検出および復調回路とも呼ばれる）を駆動することができる。いくつかの例で、各カラムを、専用のアナログチャネルに結合することができる。他の例で、カラムは、アナログスイッチを介してより少数のアナログチャネルに結合可能とすることができる。
【００５２】
タッチスクリーンデバイスは、回路内の変化、回路によって感知された正弦波ひずみの度合もしくは大きさ、または回路によって感知された静電容量の変化に関連するデータ１４５と共にプロセッサ１４０を含むことができる。プロセッサは、共有される回路からのデータを使用して、最高の度合の変化を経験する回路（１つまたは複数）を判定することができ、接触の位置（１つまたは複数）（たとえば、接触の中央力点または焦点）としてタッチ感知式ディスプレイの１つまたは複数のエリアを識別することができる。
【００５３】
したがって、いくつかの実施態様によれば、ＮＩＲ放射を、１つの組み合わされた送信器１５０ａを使用して、垂直トレースおよび水平トレースすなわちロウ１２０およびカラム１１０のアレイにまたがって放出することができる。１つの組み合わされた受信器１３０ａを、受信端に設けることができる。受信器１３０ａは、１つまたは複数のＣＣＤを含むことができ、分散要素を設けられ得る。いくつかの例で、受信器１３０ａを共通の受信器とすることができることを了解されたい。タッチイベントの検出時に、反射されたエネルギを、ノード１２１から接続１３３を介して受信器１３０ａに通信することができる。反射されたエネルギ（または光）のある部分を、サンプリングし、測定回路１３０ｂに渡して、プロセッサ１４０を使用して接触の位置を判定することができる。残りの反射されたエネルギ（または光）を、格子および受信器１３０ａを通して接続１４１を介してプロセッサ１４０に分析のために渡すことができる。いくつかの例で、光スイッチのセットを使用して、受信器１３０ａにアクティブトレースを渡すことによって信号対雑音比（ＳＮＲ）を高めることができる。
【００５４】
さらなる例で、カラム１１０およびロウ１２０を、光ファイバのアレイ（図示せず）として設けることができる。そのようなファイバを、タッチスクリーンディスプレイ（図２ａの２０）の下に設けることができる。送信器１５０ａを、ＭＥＭＳベースのスイッチなどの単一の光スイッチまたは他の適切なスイッチデバイスを使用してアレイに光エネルギを供給するように配置することができる。いくつかの例で、送信器１５０ａを共通の送信器とすることができることを了解されたい。ＭＥＭＳベースのスイッチを含む送信器１５０ａの例では、光エネルギを、単一の点で生成し、ユーザの位置と相関するファイバに向けることができ、そのファイバは、反射された光を透過させ、集めることができる。反射された光を、単一の受信器１３０ａに送信することができる。受信器１３０ａは、反射された光に応答する信号を生成し、その信号をプロセッサに送信することができる。したがって、この例を、単一の光源、単一の分散要素、および単一の受信器（ＣＣＤのセットなど）を使用して実施することができる。
【００５５】
いくつかの実施態様で、生体情報を、システムメモリ１６０に保存することができる。プロセッサ（または別々のプロセッサ）を、接触から収集された生体情報を以前に格納された生体情報と比較するように構成することができる。生体情報は、特定の化学物質に関する情報、生体識別に関する情報、または他の情報を含む、分光を使用して収集できる任意の情報を含むことができる。したがって、たとえば、グルコースレベルまたはコレステロールレベルなどの生体情報のユーザヒストリを使用して、個人が指定されたダイエットに従っているかどうかに関する相関を行うことができる。
【００５６】
前述は、生体情報判定能力を有するタッチ感知式ディスプレイのさまざまな例を説明するものである。次は、タッチ感知式ディスプレイの上で説明した特徴の少なくともいくつかを利用する方法、システム、およびデバイスの特定の例である。これらは、例示のみのためのものであって、限定的であることは意図されていない。
【００５７】
一例では、デバイスを、タッチ感知式ディスプレイと共に提供し、グルコメータ（ｇｌｕｃｏｍｅｔｅｒ）として動作するように構成することができる。このデバイスを、セル電話機、「ペン」、または他の構造として構成することができる。一例で、タッチ感知式「ペン」グルコメータを、タッチパネルと共に提供することができ、ここで、タッチパネルのディスプレイ機能が、使用可能にされないものとすることができ、第２出力ディスプレイが、グルコメータ読みを示すために設けられる。もう１つの例では、セル電話機、ペン、または他の構造として構成されたタッチ感知式デバイスが、タッチスクリーンを含むことができ、ユーザの血中アルコール含有量を判定するように構成され得る。もう１つの例では、セキュリティを必要とするデバイスが、タッチスクリーンを含むことができ、たとえばコンピュータのユーザが許可されたユーザであるかどうかを判定するために、生体識別を判定するために構成され得るタッチ感知式コンポーネント（デバイスまたはディスプレイ）と共に構成することができる。もう１つの例では、エクササイズデバイスが、タッチスクリーンを含むことができ、生体識別を判定するために構成され得るタッチ感知式コンポーネント（デバイスまたはディスプレイ）と共に構成することができる。いくつかの例では、識別は、特定の練習または練習ヒストリの呼出しをトリガすることができる。
【００５８】
一実施態様によれば、少なくとも１つのタッチ感知位置を有するディスプレイ、送信器、受信器、およびプロセッサを含むデバイスを提供することができる。送信器は、近赤外領域の光を放ち、その光をディスプレイに向ける。受信器は、デバイスのユーザから反射された光を受信し、反射された光をプロセッサに送信する。プロセッサは、送信された光を分析して、生体情報の少なくとも１つの形を判定する。さまざまな例で、生体情報は、血液分析物レベル、生体識別情報、または他のものを含むことができる。
【００５９】
もう１つの実施態様によれば、タッチ感知式コンポーネント、分光コンポーネント、およびプロセッサを含むタッチ感知式デバイスを提供することができる。タッチ感知式コンポーネントは、タッチイベントの適用に適切なタッチパネルを含む。タッチ感知式コンポーネントまたは分光コンポーネントのうちの少なくとも１つは、第１波長で光エネルギを送信する送信器と、第１波長の反射された光エネルギを受信する受信器とを含み、ここで、反射された光エネルギは、タッチイベントに従って反射される。プロセッサは、反射された光エネルギに基づいて少なくとも生体情報を判定するために、反射された光エネルギを分析する。
【００６０】
この実施態様の変形形態では、受信器は、タッチ感知式コンポーネントおよび分光コンポーネントに共通とすることができ、電荷結合素子（ＣＣＤ）を含むことができる。さらに、受信器を、受信された光エネルギを第１部分および第２部分に分割するように構成することができ、ここで、第１部分を、タッチイベントの位置を判定するためにプロセッサによって使用することができ、第２部分を、生体情報を判定するためにプロセッサによって使用することができる。
【００６１】
さらなる変形形態では、送信器を、タッチ感知式コンポーネントおよび分光コンポーネントについて共通して構成することができる。たとえば、送信器は、約８００ナノメートルから約２５００ナノメートルまでの範囲内の光エネルギを放つように構成され得、１つまたは複数の発光ダイオードを含むことができる。いくつかの変形形態で、第２受信器を、第２波長の反射された光エネルギを受信するために設けることができる。異なる生体情報を、異なる波長の光エネルギから収集することができる。
【００６２】
タッチ感知式デバイスを、たとえばポータブルハンドヘルドデバイスとすることができる。生体情報は、いくつかの例で、ユーザのグルコースレベルまたは生体識別情報に関係するものとすることができる。
【００６３】
タッチ感知式デバイスは、さらに、ディスプレイを含むことができ、ディスプレイは、タッチ感知式表面またはタッチパネルを介して見られるものとすることができる。タッチ感知式表面およびタッチパネルを、赤外線透過とすることができる。プロセッサを、判定された生体情報をディスプレイに送信するように構成することができ、ここで、ディスプレイを、見るために生体情報を提示するように構成することができる。
【００６４】
いくつかの例で、複数の送信器を、異なる波長の光を放つ２以上の送信器を伴って提供することができる。いくつかの変形形態で、波長を、測定に関する分析物の感度に対応する範囲内とすることができる。
【００６５】
さらなる変形形態で、副ディスプレイを、判定された生体情報を出力するために設けることができる。
【００６６】
図６Ａは、本開示のある種の例によるタッチ感知式デバイスと一体化するのに適切なシステムの図である。コンピュータプログラム製品６００を、タッチイベントを感知し、ユーザの生体情報およびいくつかの例でタッチイベントの位置を判定するために、コンピューティングデバイス５００内で実施することができる。コンピュータプログラム製品６００は、１つまたは複数の命令６２０を実行するように構成された信号担持媒体６１０を含む。信号担持媒体６１０を、コンピュータ可読媒体６２２、記録可能媒体６２４、および／または通信媒体６２６として構成することができる。１つまたは複数の命令６２０は、送信器を用いて、タッチイベントを受け取ることができるタッチパネルに第１波長を有する光エネルギを送信する命令と、受信器を用いて、タッチイベントの発生時に第１波長の光エネルギを受信する命令と、受信された光エネルギをプロセッサに送信する命令と、プロセッサを用いて、受信された光エネルギに基づいて生体情報を判定する命令とを含む。
【００６７】
図６Ｂは、本開示のある種の例による、タッチ感知式デバイス上で接触を感知し、生体情報を判定するコンピュータ実施される方法の流れ図である。図６Ｂによれば、図示された方法７００は、動作／アクション／ブロック７０２、７０４、７０６、７０８、および７１０のうちの１つまたは複数を含むことができる。
【００６８】
この方法は、タッチパネルを含むタッチ感知式コンポーネントであって、表面は、タッチイベントの適用に適する、タッチ感知式コンポーネントと、分光コンポーネントであって、タッチ感知式コンポーネントまたは分光コンポーネントのうちの少なくとも１つは、タッチパネルディスプレイに第１波長で光エネルギを送信する送信器と、第１波長の反射された光エネルギを受信する受信器とを含み、反射された光エネルギは、タッチイベントに従って反射される、分光コンポーネントと、反射された光エネルギに基づいて少なくとも生体情報を判定するために、反射された光エネルギを分析するプロセッサとを有するデバイスを提供すること（ブロック７０２）を含むことができる。この方法は、さらに、送信器を用いて、第１波長を有する光エネルギをタッチパネルに送信すること（ブロック７０４）と、受信器を用いて、タッチイベントの発生時に第１波長の光エネルギを受信すること（ブロック７０６）とを含むことができる。次に、この方法は、受信された光エネルギをプロセッサに送信すること（ブロック７０８）と、プロセッサを用いて、受信された光エネルギに基づいて生体情報を判定すること（ブロック７１０）とを含むことができる。
【００６９】
他の実施態様は、タッチ感知式ディスプレイまたはタッチスクリーンに、静電容量性技術、抵抗技術、表面音響波／超音波技術、音響パルス認識技術、分散信号技術、漏れ全反射技術、赤外線技術、および／またはひずみゲージ技術のうちの１つまたは複数を使用する測定回路を提供することができる。たとえば、前述の技術のうちの１つまたは複数を使用してディスプレイ上の接触を感知することに関連する電気信号は、電気的に結合されたＬＥＤディスプレイおよび測定回路（１つまたは複数）に変化を起こし、影響を受けるＬＥＤのそれぞれに結合された測定回路に関連するプロセッサは、接触の位置およびユーザに関連する生体情報を判定することができる。
【００７０】
ある種の実施態様によれば、デバイスを、タッチスクリーンディスプレイの１つまたは複数の部分が可視に照らされない（not visibly illuminated）ときに動作可能とすることができる。たとえば、ディスプレイの一部が、アクティブではないか可視に照らされないときに、ＮＩＲ領域の光エネルギを、それでも、ディスプレイ表面に送信することができる。タッチ感知式ディスプレイへの接触は、受信器に、反射された光を受信させ、プロセッサによる処理をトリガさせることができる。プロセッサを、生体情報およびいくつかの例で接触の位置を判定するように構成することができる。生体情報の判定時に、デバイスを、判定された情報を表示するために可視に照らすことができる。
【００７１】
本開示は、さまざまな態様の例示として意図された、本願で説明される特定の例に関して限定されてはならない。当業者に明白なように、その趣旨および範囲から逸脱せずに、多数の修正形態および変形形態を作ることができる。本明細書で列挙されるものに加えて、本開示の範囲に含まれる機能的に同等の方法および装置は、前述の説明から当業者には明白であろう。そのような修正形態および変形形態は、添付の特許請求の範囲の範囲に含まれることが意図されている。本開示は、添付の特許請求の範囲に与えられる同等物のすべての範囲と共に、添付の特許請求の範囲の項目のみによって限定されなければならない。本開示が、もちろん変化することのできる特定の方法、試薬、化合物、組成物、または生体系に限定されてはならないことを理解されたい。本明細書で使用される用語法が、特定の例を説明するためのみのものであって、限定的であることを意図されていないことをも理解されたい。
【００７２】
システムの諸態様のハードウェア実施態様とソフトウェア実施態様との間には、区別がほとんど残されておらず、ハードウェアまたはソフトウェアの使用は、一般に（ある文脈でハードウェアとソフトウェアとの間の選択が重要になり得るという点で、必ずではないが）、コスト対効率のトレードオフを表す設計選択である。本明細書で説明されるプロセスおよび／またはシステムおよび／または他の技術をそれによって実施でき（たとえば、ハードウェア、ソフトウェア、および／またはファームウェア）、好ましい手段がそれらのプロセスおよび／またはシステムおよび／または他の技術が展開される文脈に伴って変化する、さまざまな手段がある。たとえば、実装者が、速度および正確さが主要であると判定する場合に、実装者は、主にハードウェア手段および／またはファームウェア手段を選ぶことができ、柔軟性が主要である場合には、実装者は、主にソフトウェア実施態様を選ぶことができ、あるいは、やはりその代わりに、実装者は、ハードウェア、ソフトウェア、および／またはファームウェアのある組合せを選ぶことができる。
【００７３】
前述の詳細な説明は、ブロック図、流れ図、および／または例の使用を介してデバイスおよび／またはプロセスのさまざまな例を示した。そのようなブロック図、流れ図、および／または例が、１つまたは複数の機能および／または動作を含む限り、そのようなブロック図、流れ図、または例に含まれる各機能および／または各動作を、個別におよび／または集合的に、広範囲のハードウェア、ソフトウェア、ファームウェア、または事実上すべてのその組合せによって実施できることが、当業者によって理解されるであろう。一例では、本明細書で説明される主題の複数の部分を、特定用途向け集積回路（ＡＳＩＣ）、フィールドプログラマブルゲートアレイ（ＦＰＧＡ）、ディジタル信号プロセッサ（ＤＳＰ）、または他の集積フォーマットを介して実施することができる。しかし、当業者は、本明細書で開示される例のいくつかの態様を、全体的にまたは部分的に、集積回路内で、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、または事実上すべてのそれらの組合せとして同等に実施できることと、回路の設計ならびに／あるいはソフトウェアおよびまたはファームウェアのコードの記述が、本開示を考慮すると当業者の技量に十分に含まれることとを認めるであろう。さらに、当業者は、本明細書で説明される主題の機構を、さまざまな形でプログラム製品として配布できることと、本明細書で説明される主題の例示的な例が、配布を実際に実行するのに使用される信号担持媒体の特定のタイプにかかわりなく適用されることとを了解するであろう。信号担持媒体の例は、フロッピディスク、ハードディスクドライブ、コンパクトディスク（ＣＤ）、ディジタルビデオディスク（ＤＶＤ）、ディジタルテープ、コンピュータメモリ、その他などの記録可能型媒体と、ディジタル通信媒体および／またはアナログ通信媒体（たとえば、光ファイバケーブル、導波管、有線通信リンク、無線通信リンクなど）などの伝送型媒体とを含むが、これらに限定はされない。
【００７４】
当業者は、当技術分野で、デバイスおよび／またはプロセスを本明細書で示す形で記述し、その後、工学的実践を使用して、そのように記述されたデバイスおよび／またはプロセスをデータ処理システムに統合することが一般的であることを認めるであろう。すなわち、本明細書で説明されるデバイスおよび／またはプロセスの少なくとも一部を、妥当な量の実験を介してデータ処理システムに統合することができる。当業者は、通常のデータ処理システムが、一般に、システムユニットハウジング、ビデオディスプレイデバイス、揮発性メモリおよび不揮発性メモリなどのメモリ、マイクロプロセッサおよびディジタル信号プロセッサなどのプロセッサ、オペレーティングシステム、ドライバ、グラフィカルユーザインターフェース、およびアプリケーションプログラムなどの計算エンティティ、タッチパッドまたはタッチスクリーンなどの１つまたは複数の対話デバイス、ならびに／あるいはフィードバックループおよび制御モータ（たとえば、位置および／または速度を感知するフィードバック、コンポーネントおよび／または量を移動しかつ／または調整する制御モータ）を含む制御システムのうちの１つまたは複数を含むことを認めるであろう。通常のデータ処理システムを、通常、データコンピューティング／通信および／またはネットワークコンピューティング／通信システムで見られるものなど、任意の適切な市販コンポーネントを利用して実施することができる。
【００７５】
本明細書で説明される主題は、時々、異なる他のコンポーネントに含まれるかこれに接続される異なるコンポーネントを示す。そのような図示のアーキテクチャが、単に例であることと、実際に、同一の機能性を達成する多数の他のアーキテクチャを実施できることとを理解されたい。概念的な意味で、同一の機能性を達成するためのコンポーネントのすべての構成は、所望の機能性が達成されるように効果的に「関連付けられる」。したがって、特定の機能性を達成するために組み合わされる本明細書の任意の２つのコンポーネントを、アーキテクチャまたは中間コンポーネントにかかわりなく、所望の機能性が達成されるように互いに「関連付けられる」と見なすことができる。同様に、そのように関連付けられた任意の２つのコンポーネントを、所望の機能性を達成するために互いに「動作可能に接続される」または「動作可能に結合される」と見なすこともでき、そのように関連付けられ得る任意の２つのコンポーネントを、所望の機能性を達成するために互いに「動作可能に結合可能である」と見なすこともできる。動作可能に結合可能の特定の例は、物理的に嵌合可能なコンポーネントおよび／または物理的に相互作用するコンポーネント、ならびに／あるいは無線で相互作用可能なコンポーネントおよび／または無線で相互作用するコンポーネント、ならびに／あるいは論理的に相互作用するコンポーネントおよび／または論理的に相互作用可能なコンポーネントを含むが、これらに限定はされない。
【００７６】
本明細書での実質的にすべての複数形および／または単数形の用語の使用に関して、当業者は、文脈および／または応用例に適切に、複数形から単数形におよび／または単数形から複数形に変換することができる。さまざまな単数／複数の置換が、明瞭にするために本明細書で明示的に示される場合がある。
【００７７】
一般に、本明細書、特に添付の特許請求の範囲（たとえば、添付の特許請求の範囲の本体）で使用される用語が、一般に、「開かれた」用語として意図されている（たとえば、用語「ｉｎｃｌｕｄｉｎｇ（含む）」は、「ｉｎｃｌｕｄｉｎｇ  ｂｕｔ  ｎｏｔ  ｌｉｍｉｔｅｄ  ｔｏ（を含むがこれに限定されない）」と解釈されなければならず、用語「ｈａｖｉｎｇ（有する）」は、「ｈａｖｉｎｇ  ａｔ  ｌｅａｓｔ（少なくとも〜を有する）」と解釈されなければならず、用語「ｉｎｃｌｕｄｅｓ（含む）」は、「ｉｎｃｌｕｄｅｓ  ｂｕｔ  ｎｏｔ  ｌｉｍｉｔｅｄ  ｔｏ（を含むがこれに限定されない）」と解釈されなければならないなど）ことが、当業者によって理解されるであろう。さらに、特定の個数の導入される請求項記述が意図される場合には、そのような意図が、特許請求の範囲で明示的に記述され、そのような記述がない場合には、そのような意図が存在しないことが、当業者によって理解されるであろう。たとえば、理解の助けとして、次の添付の特許請求の範囲は、請求項記述を導入するために導入句「ａｔ  ｌｅａｓｔ  ｏｎｅ（少なくとも１つの）」および「ｏｎｅ  ｏｒ  ｍｏｒｅ（１つまたは複数の）」の使用を含む場合がある。しかし、そのような句の使用は、同一の請求項が導入句「ｏｎｅ  ｏｒ  ｍｏｒｅ」または「ａｔ  ｌｅａｓｔ  ｏｎｅ」および「ａ」または「ａｎ」などの不定冠詞を含むときであっても、不定冠詞「ａ」または「ａｎ」による請求項記述の導入が、そのように導入された請求項記述を含む任意の特定の請求項を１つのみのそのような記述を含む例に限定することを暗示すると解釈されてはならず（たとえば、「ａ」および／または「ａｎ」は、「ａｔ  ｌｅａｓｔ  ｏｎｅ」または「ｏｎｅ  ｏｒ  ｍｏｒｅ」を意味すると解釈されなければならない）、同一のことが、請求項記述を導入するのに使用される定冠詞の使用にもあてはまる。さらに、特定の個数の導入される請求項記述が明示的に記述される場合であっても、当業者は、そのような記述を、少なくとも記述された数を意味する（たとえば、他の修飾成句を伴わない「２つの記述」という裸の記述は、少なくとも２つの記述または２以上の記述を意味する）と解釈しなければならないことを認めるであろう。さらに、「ａｔ  ｌｅａｓｔ  ｏｎｅ  ｏｆ  Ａ，Ｂ，ａｎｄ  Ｃ，ｅｔｃ．（Ａ、Ｂ、およびＣのうちの少なくとも１つ、など）」に類似する慣例が使用される場合に、一般に、そのような構文は、当業者がその慣例を理解する意味であることが意図されている（たとえば、「ａ  ｓｙｓｔｅｍ  ｈａｖｉｎｇ  ａｔ  ｌｅａｓｔ  ｏｎｅ  ｏｆ  Ａ，Ｂ，ａｎｄ  Ｃ（Ａ、Ｂ、およびＣのうちの少なくとも１つを有するシステム）」は、Ａのみ、Ｂのみ、Ｃのみ、ＡとＢとを一緒に、ＡとＣとを一緒に、ＢとＣとを一緒に、ならびに／またはＡ、Ｂ、およびＣを一緒に有するシステムを含むが、これに限定はされないなど）。「ａｔ  ｌｅａｓｔ  ｏｎｅ  ｏｆ  Ａ，Ｂ，ｏｒ  Ｃ，ｅｔｃ．（Ａ、Ｂ、またはＣのうちの少なくとも１つ、など）」に類似する慣例が使用される場合に、一般に、そのような構文は、当業者がその慣例を理解する意味であることが意図されている（たとえば、「ａ  ｓｙｓｔｅｍ  ｈａｖｉｎｇ  ａｔ  ｌｅａｓｔ  ｏｎｅ  ｏｆ  Ａ，Ｂ，ｏｒ  Ｃ（Ａ、Ｂ、またはＣのうちの少なくとも１つを有するシステム）」は、Ａのみ、Ｂのみ、Ｃのみ、ＡとＢとを一緒に、ＡとＣとを一緒に、ＢとＣとを一緒に、ならびに／またはＡ、Ｂ、およびＣを一緒に有するシステムを含むが、これに限定はされないなど）。さらに、２以上の代替の項目を表す事実上すべての離接的単語および／または句は、この説明、特許請求の範囲、または図面のいずれに含まれるものであれ、項目のうちの１つ、項目のいずれか、または両方の項目を含む可能性を企図すると理解されなければならないことが、当業者によって理解されるであろう。たとえば、句「Ａ  ｏｒ  Ｂ（ＡまたはＢ）」は、「Ａ」または「Ｂ」または「ＡおよびＢ」の可能性を含むと理解される。
【００７８】
さらに、本開示の特徴または態様が、マーカッシュ群に関して説明される場合に、当業者は、本開示が、これによってマーカッシュ群の任意の個々のメンバまたはメンバのサブグループに関しても説明されることを認めるであろう。
【００７９】
当業者によって理解されるように、書かれた説明を提供することに関してなど、任意のすべての目的のため、本明細書で開示されるすべての範囲は、任意のすべての可能な部分範囲およびその部分範囲の組合せをも包含する。すべてのリストされた範囲を、少なくとも等しい半分、１／３、１／４、１／５、１／１０などに分割された同一の範囲を十分に記述し、可能にするものとして、たやすく認めることができる。非限定的な例として、本明細書で述べられる各範囲を、下側１／３、中央１／３、および上側１／３などにたやすく分割することができる。やはり当業者によって理解されるように、「ｕｐ  ｔｏ（まで）」、「ａｔ  ｌｅａｓｔ（少なくとも）」、「ｇｒｅａｔｅｒ  ｔｈａｎ（より大きい）」、「ｌｅｓｓ  ｔｈａｎ（より小さい）」、および類似物などのすべての言葉は、記述された数を含み、その後に上で述べたように部分範囲に分割され得る範囲に言及する。最後に、当業者によって理解されるように、範囲は、各個々のメンバを含む。したがって、たとえば、１〜３個のセルを有する群は、１個、２個、または３個のセルを有する群に言及する。同様に、１〜５個のセルを有する群は、１個、２個、３個、４個、または５個のセルを有する群に言及するなどである。
【００８０】
さまざまな態様および例を本明細書で開示したが、他の態様および例が、当業者に明白であろう。本明細書で開示されたさまざまな態様および例は、例示のためのものであって、限定的であることは意図されておらず、真の範囲および趣旨は、次の特許請求の範囲によって示される。
【図１】
0005442854.tif 000002
【図２ａ】
0005442854.tif 000003
【図２ｂ】
0005442854.tif 000004
【図３】
0005442854.tif 000005
【図４】
0005442854.tif 000006
【図５】
0005442854.tif 000007
【図６ａ】
0005442854.tif 000008
【図６ｂ】
0005442854.tif 000009